(57)【要約】【課題】線状コンセントからのプラグの抜けと、プラグから伸びるコードの始末の悪さとの２つの課題を同時に解決することにより、安全性がより一層高まり、且つ、商品の展示場所等のコード回りの美感を改善し得るプラグ・コードの固定構造の提供を図る。【解決手段】線状コンセント刃受部に受容される複数の栓刃１２を備えたプラグ本体１５と、プラグ本体１５から伸びるコード１８と、コード１８を支持する支持部１９とを備える。支持部１９は、コード１８を受容するコード受容部２０と、コード受容部２０の裏面側に伸ばされた挿入部２１とを備える。挿入部２１は、その先端側に、防ぐ抜け止め部２２を備え、コードのプラグ本体寄りの位置２４と、プラグ本体から離れた位置２５との少なくとも２種類を選択可能である。【選択図】図２
2014154251.tif 000002
【特許請求の範囲】
【請求項１】
互いに平行な複数の線状溝を有する表板の裏側に前記線状溝に沿ってそれぞれ配設された刃受部とを有する線状コンセントに対して用いられるプラグ・コードの固定構造において、
前記刃受部に受容される複数の栓刃を備えたプラグ本体と、前記プラグ本体から伸びるコードと、前記コードを支持する支持部とを備え、
前記支持部は、前記コードを受容するコード受容部と、前記コード受容部の裏面側に伸ばされた挿入部とを備えたもので、前記プラグ本体と一体又は別体に構成されたものであり、
前記挿入部は、前記線状溝の表面側から裏面側に挿入されるものであり、
前記挿入部は、その先端側に、前記線状溝からの前記挿入部が抜けることを防ぐ抜け止め部を備え、
前記コード受容部にコードを所定の取付位置にて受容させると共に、前記挿入部を前記線状溝に挿入することによって、コードを固定するものであり、
前記取付位置は、コードのプラグ本体寄りの位置と、プラグ本体から離れた位置との少なくとも２種類から、選択可能であることを特徴とするプラグ・コードの固定構造。
【請求項２】
前記取付位置は、コードのプラグ本体寄りの位置と、プラグ本体から離れた位置との少なくとも２種類であり、
コードのプラグ本体寄りの位置に固定することでプラグの脱落を防止すると共に、プラグ本体から離れた位置に固定することで前記線状コンセントから前記コードが浮き上がることを防止したことを特徴とする請求項１記載のプラグ・コードの固定構造。
【請求項３】
前記支持部を複数備え、前記支持部は互いに接続分離可能であると共に、少なくとも１個の前記支持部は前記プラグ本体に対して一体化されているか若しくは接続分離可能であることを特徴とする請求項１又は２記載のプラグ・コードの固定構造。
【請求項４】
請求項１〜３の何れかに記載のプラグ・コードの固定構造に用いられる支持部であって、前記支持部は前記プラグ本体と別体に構成された支持体であり、前記支持体は、プラグ本体又は他の支持部に対して着脱可能に接続する接続部を備えると共に、前記接続部によって接続される被接続部を有することを特徴とする線状コンセント用支持体。
【発明の詳細な説明】
【技術分野】
【０００１】
本願発明は、互いに平行な複数の線状溝を有する表板の裏側に前記線状溝に沿ってそれぞれ配設された刃受部とを有する線状コンセントに対するプラグ・コードの固定構造と、これに用いられる支持体に関するものである。
【背景技術】
【０００２】
従来より、商品の展示販売用のディスプレイ棚などの販売店用什器には、線状コンセントが用いられることが多い。この線状コンセントは、ディスプレイの変更などに応じて、コンセントの長手方向のいずれの位置にもプラグを接続することができる点で、販売店などでは重宝されている。この線状コンセント用のプラグとしては、本発明の出願人に特許である特許文献１のプラグが知られている。
【０００３】
このように便利な線状コンセントではあるが、実際の使用現場をみると、線状コンセントからプラグが抜けかかっていたり、さらに露出したプラグの栓刃に埃が溜まっていたりする例もあり、漏電の危険性がある。また、プラグから伸びるコードの始末が悪くて、見苦しいものとなり、せっかくの商品ディスプレイのイメージを台なしにしている例もある。さらに、商品を棚に置いたり取り出したりする際に、商品がコードに引っ掛かり、プラグが緩んだり抜けたりするおそれもある。緩んだプラグの場合には、上記のように埃が溜まり易く極めて危険である。
【０００４】
図４（Ｂ）を参照して、より具体的に説明すると、商品４９を展示する什器４５の棚板４６には、商品４９を照らすための棚下照明器具４８が取り付けられている。この棚下照明器具４８への電源は、什器４５の側板４７に設けられた線状コンセント４１に接続されている。線状コンセント４１には、その差込面に線状溝が設けており、その内部には導電性金属の刃受部が配置され、この刃受部は通常交流電源に接続されている。多くの線状コンセント４１の場合、刃受部は、中央に接地用、その両側に電源用が配置されており、線状溝も、これに対応して３本が設けられているが、中央の接地用がなく、２本の線状溝のみの場合もある。
【０００５】
棚下照明器具４８は、これから伸びるコード１８の先端に設けられたプラグ１１の栓刃１２を、線状溝から差し込んで、刃受部に接続することで、電源への接続と、必要に応じて接地線への接続とがなされる。コード１８は、通常、最低必要長さよりも少し長い目になされているため、線状コンセント４１から浮き上がった状態に配置される。そのため、線状コンセント４１が目障りとなり、せっかくの商品４９の展示状態を台なしにしたり、商品の出し入れに際してコードと引っ掛かったりする場合もある。また、たるんだコード１８は、プラグ１１に対して、刃受部から栓刃１２が抜ける方向に力を加える。特に、プラグ１１の基端側が、たるんだコード１８に引っ張られるようにして浮き上がってしまう例が多く見られ、浮き上がった隙間に埃が溜まり、トラッキングが生じ易い状態になっている場合がある。
【０００６】
これに対して、線状コンセントからプラグの抜けを防止する観点からの提案は、特許文献２のようなものがあるが、構造が複雑であり、製造コストも高くなり、線状コンセントの使用者に広く普及しているとは言い難い。また、この特許文献２の提案は、プラグの抜けを防止することに止まり、コードの始末の悪さを解決するものではなかった。そのため、たるんだコード１８によってプラグに加わる抜け方向への力を無くすことはできず、長年の使用によってプラグが線状コンセントから浮き上がるおそれが残ってしまうものであった。
【先行技術文献】
【特許文献】
【０００７】
【特許文献１】特許第４４２６６３５号公報
【特許文献２】特開２００９−２５９５５２号公報
【発明の概要】
【発明が解決しようとする課題】
【０００８】
本願発明は、線状コンセントからのプラグの抜けと、プラグから伸びるコードの始末の悪さとの２つの課題を同時に解決することにより、安全性がより一層高まり、且つ、商品の展示場所等のコード回りの美感を改善し得るプラグ・コードの固定構造と、その支持体の提供を課題とする。
【課題を解決するための手段】
【０００９】
本発明は、互いに平行な複数の線状溝を有する表板の裏側に前記線状溝に沿ってそれぞれ配設された刃受部とを有する線状コンセントに対して用いられるプラグ・コードの固定構造に関するもので、前記刃受部に受容される複数の栓刃を備えたプラグ本体と、前記プラグ本体から伸びるコードと、前記コードを支持する支持部とを備え、前記支持部は、前記コードを受容するコード受容部と、前記コード受容部の裏面側に伸ばされた挿入部とを備えたもので、前記プラグ本体と一体又は別体に構成されたものであり、前記挿入部は、前記線状溝の表面側から裏面側に挿入されるものであり、前記挿入部は、その先端側に、前記線状溝からの前記挿入部が抜けることを防ぐ抜け止め部を備え、前記コード受容部にコードを所定の取付位置にて受容させると共に、前記挿入部を前記線状溝に挿入することによって、コードを固定するものであり、前記取付位置は、コードのプラグ本体寄りの位置と、プラグ本体から離れた位置との少なくとも２種類から、少なくとも１種類を選択可能であることを特徴とするプラグ・コードの固定構造を提供する。
【００１０】
前記取付位置は、コードのプラグ本体寄りの位置と、プラグ本体から離れた位置との少なくとも２種類であることが望ましく、コードのプラグ本体寄りの位置に固定することでプラグの脱落を防止すると共に、プラグ本体から離れた位置に固定することで前記線状コンセントから前記コードが浮き上がることを防止する。
【００１１】
前記支持部を複数備え、前記支持部は互いに接続分離可能であると共に、少なくとも１個の前記支持部は前記プラグ本体に対して一体化されているか若しくは接続分離可能であるものとして実施することも望ましい。その際、支持部は、コードに沿って摺動可能に取り付けたものとしてもよい。
【００１２】
また、本発明は、上記のプラグ・コードの固定構造に用いられる支持部であって、前記支持部は前記プラグ本体と別体に構成された支持体であり、前記支持体は、プラグ本体又は他の支持部に対して着脱可能に接続する接続部を備えると共に、前記接続部によって接続される被接続部を有することを特徴とする線状コンセント用支持体を提供する。
【発明の効果】
【００１３】
本願発明は、線状コンセントからのプラグの抜けと、プラグから伸びるコードの始末の悪さとの２つの課題を同時に解決することで、安全性がより一層高まり、且つ、商品の展示場所等のコード回りの美感が改善されるプラグ・コードの固定構造を提供することができたものである。
【図面の簡単な説明】
【００１４】
【図１】本発明の実施の形態に係るプラグと保持部の斜視図である。
【図２】（Ａ）同側面図、（Ｂ）同平面図である。
【図３】（Ａ）同保持部の断面構造の説明図、（Ｂ）同変形例を示す説明図、（Ｃ）さらに他の変形例を示す説明図、（Ｄ）同保持部にコードを保持させた状態の断面構造の説明図、（Ｅ）同保持部の側面図、（Ｆ）同保持部を線状コンセントに接続した状態の断面構造の説明図である。
【図４】（Ａ）本発明の実施の形態に係るプラグと保持部によるプラグ・コードの固定構造の側面から見た説明図、（Ｂ）従来のプラグによるプラグ・コードの固定構造の側面から見た説明図である。
【図５】本発明の実施の形態に係るプラグと保持部によるプラグ・コードの固定構造の正面から見た説明図である。
【図６】本発明の他の実施の形態に係るプラグと保持部の斜視図を示すもので、（Ａ）側面図、（Ｂ）平面図である。
【図７】本発明のさらに他の実施の形態に係るプラグと保持部を示すもので、（Ａ）側面図、（Ｂ）平面図、（Ｃ）またさらに他の実施の形態に係るプラグと保持部の側面図である。
【発明を実施するための形態】
【００１５】
以下、図面に基づき本願発明の実施の形態を説明する。
この実施の形態に係るプラグ１１は、従来の例と同様、線状コンセント４１に対して使用される。
【００１６】
（設置環境）
図４（Ａ）及び図５を参照して、使用状態の全体を説明する。商品４９を展示する什器４５の棚板４６には、棚下照明器具４８が設けられ、商品４９に対する照明がなされる。棚下照明器具４８への電源は、什器４５の側板４７に設けられた線状コンセント４１に接続され、線状コンセント４１の差込面４３には線状溝４２が設けている（図３（Ｆ）参照）。内部には導電性金属製の長尺条の刃受部４４が配置されている。刃受部４４は、中央に接地用、その両側に電源用が配置されており、線状溝４２も、これに対応して３本が設けられている。以下の説明では、この３本のものを中心に説明するが、中央の接地用がなく、２本の線状溝４２のみの場合もあり、本発明はこの２本の線状溝４２のみが設けられているものに対しても実施することができる。
【００１７】
棚下照明器具４８から伸びるコード１８の先端には、プラグ１１が設けられ、このプラグ１１の栓刃１２を、線状溝４２から差し込んで、刃受部４４に接続することで、電源への接続と、必要に応じて接地線への接続とがなされる。
【００１８】
（プラグについて）
図１〜図３に示すように、プラグ１１は、プラグ本体１５と、栓刃１２とを備える。プラグ本体１５は、栓刃１２（中央の接地用栓刃１４と左右両側の電源用栓刃１３との３本、又は、接地用栓刃１４のない左右両側の電源用栓刃１３の２本）と、これらの栓刃１２に接続されたコード１８が延設される本体延設部１７とを備える。なお、電源用栓刃１３の基部には、トラッキング防止用に絶縁部材を配置しておくことが望ましい。
【００１９】
本体延設部１７は、内部に配置されたコード１８を保護するために、複数の凹凸条を有する柔軟で屈曲可能な筒状をなしており、通常はプラグ本体１５と一体に形成されているが、別体に形成することもでき、省略して実施することもできる。コード１８には、２本又は３本の導電線が配置されており、電気的には３本（又は２本）となっているが、通常これらは１体となっているため、本説明では１本のコード１８として説明する。
【００２０】
（支持部について）
支持部１９は、コード１８を挿通して受容するコード受容部２０と、コード受容部２０の裏面側に伸ばされた挿入部２１とを有する。この例では、コード受容部２０と挿入部２１とが一体に形成されているが別体に形成したものを接続してもよい。挿入部２１は、線状コンセント４１の線状溝４２の表面側から裏面側に挿入される軸状をなすものであり、その先端側に、抜け止め部２２が設けられている。
【００２１】
コード受容部２０は、この例では、環状をなしており、図３（Ａ）に示されるように、コード１８の断面形状と略同じ形状で同じ大きさの貫通穴を有するもので、この貫通穴にコード１８が摺動可能に挿通される。このコード受容部２０は、図３（Ｂ）に示すように、各コードの全体が長細い穴で凹凸がないものとして実施することもでき、また、図３（Ｃ）に示すように、コード１８を横から挿入できる切り欠きを備えた断面略Ｃ字状のものとしてもよく、コード１８を受容できることを条件に種々変更して実施することができる。
【００２２】
抜け止め部２２は、挿入部２１が線状溝４２から抜けることを防ぐためのもので、挿入部２１の基端側よりも太く（横幅が大きく）形成されている。最も好ましくは、線状溝４２の幅と等しいか僅かに大きな横幅を有するものとして実施するようにし、挿入に際しては、差込面４３又は抜け止め部２２が弾性変形して挿入可能となり、挿入された後は、強制的に引っ張らなければ抜けないようにしておく。抜け止め部２２の先端側は先細りとし、線状溝４２に挿入しやすくしておくことが望ましい。
この支持部１９は、全体が合成樹脂で一体成形しておけばよいが、各部を別素材で別体に構成することもでき、合成樹脂以外の素材を用いることもできる。
【００２３】
（コードの固定構造）
この支持部１９を少なくとも２個、コード１８に挿通しておく。一つは、プラグ本体寄りの位置２４にて線状溝４２に配置し、他の一つは、プラグ本体から離れた位置２５に配置する。これによって、プラグ１１の栓刃１２が刃受部４４から抜けることを防止すると共に、線状コンセント４１からコード１８が浮き上がることを防止する。特に、プラグ本体から離れた位置２５にコード１８を固定することで、コード１８の始末の悪さを解決して、コード１８を略直線状に線状コンセント４１に沿って這わせることができる。その結果、図４（Ａ）と（Ｂ）との対比、並びに図５に示すように、従来のたるんだコード１８によって、プラグ１１に対して抜け方向への力が加わることを実質的に無くすことができ、プラグ本体寄りの位置２４における固定と協働してプラグ１１が線状コンセント４１から浮き上がることを防止し、浮き上がった部分に侵入する埃によってトラッキングが生じてしまうことを防止することができ、安全性を向上させることができるものである。
【００２４】
なお、支持部１９の取付位置は、コードのプラグ本体寄りの位置２４と、プラグ本体から離れた位置２５との少なくとも２種類を選択可能であればよい。具体的には、図５の下段の棚の例のように、支持部１９を、少なくとも２個、プラグ本体寄りの位置２４とプラグ本体から離れた位置２５との双方を選択して、両位置に配置することが最も好ましいが、プラグ本体から離れた位置２５のみを選択して、図５の中段の棚の例のようにプラグ本体１５から少し離れた位置や、上段の棚の例のようにプラグ本体１５から多少離れた位置に配置してもよい。この場合にあっても、コード１８が商品４９に引っ掛かるおそれを解消することは可能である。また図示は省略するが、プラグ本体寄りの位置２４のみを選択してもよい。
【００２５】
（他の実施の形態）
次に、図６を参照して他の実施の形態を説明する。なお、特に説明を行なわない点については、先の例と同様である。
この例は、支持部１９の前後に接続部２６と被接続部２７とを設けた例である。接続部２６は、プラグ本体１５の本体延設部１７の先端に着脱可能に嵌合するもので、この例では、本体延設部１７の後端部２８を左右から抱き抱えるような腕を前方に突出させたものである。被接続部２７は、支持部１９の後方に設けられたものであり、上記の本体延設部１７の後端部２８と略同形状をなしている。これによって、後続する支持部１９の接続部２６によって着脱可能に接続される。使用に際しては、本体延設部１７の後端部２８と接続している支持部１９については、そのままその挿入部２１を線状溝４２に差し込み、後方の支持部１９については、前方の支持部１９との接続を外して、プラグ本体から離れた位置２５までずらして、挿入部２１を線状溝４２に差し込む。これによって、先の例と同じようにコードとプラグとを固定できる。
【００２６】
（さらに他の実施の形態）
次に、図７（Ａ）（Ｂ）を参照してさらに他の実施の形態を説明する。なお、特に説明を行なわない点については、先の例と同様である。
【００２７】
この例は、接続部２６を、コード１８の長手方向にコード受容部２０から突出する突起とし、この突起である接続部２６が着脱可能に嵌入する受容穴を被接続部２７として、コード受容部２０に形成したものである。この受容穴は、プラグ本体１５にも形成しておくことが望ましい。
【００２８】
このように、プラグ本体１５と各支持部１９とを着脱可能に接続しておくことによって、出荷段階では、支持部１９とプラグ本体１５とを一体に管理して紛失のおそれを無くし、使用時に順次接続を外すことで、自由な位置にコード１８を固定することができる。
【００２９】
（またさらに他の実施の形態）
次に、図７（Ａ）（Ｂ）を参照して、またさらに他の実施の形態を説明する。なお、特に説明を行なわない点については、先の例と同様である。
【００３０】
先の例では、最もプラグ寄りの支持部１９については、本体延設部１７と別体としているが、プラグ本体１５と一体に分離不能に接続しておくことも可能である。さらに、本体ケーシング１６又は本体延設部１７から挿入部２１を突設することによって、支持部１９と完全に一体化させることもできる。ここで、挿入部２１は、栓刃１２よりも後方（コード１８寄り）に設けておくことが望ましい。これは、コード１８からの力や加重を受けた場合には、プラグ本体１５の後端側から浮き上がろうとするためであり、栓刃１２よりも後方（コード１８寄り）に挿入部２１を設けておくことによって、浮き上がりを有効に防止することができる。さらに望ましくは、挿入部２１を屈曲可能な本体延設部１７に設けておく。これは、挿入部２１を線状溝４２に差し込むのには、栓刃１２の差込よりも力が必要とする場合があるため、屈曲可能な本体延設部１７に設けておくことで、栓刃１２の差込完了後に、本体延設部１７から伸びる挿入部２１を差し込むようにすることで、大きな力を要することなく、両者の差込が完了する。
【００３１】
このように、本発明において、プラグ本体寄りの位置とは、プラグ本体１５と同一位置又はプラグ本体１５から、３cm以内とすることが望ましい。挿入部２１は、１本の例を示したが、一つの支持部１９について、２個又は３個を設けることも可能である。
【符号の説明】
【００３２】
１１  プラグ
１２  栓刃
１３  電源用栓刃
１４  接地用栓刃
１５  プラグ本体
１６  本体ケーシング
１７  本体延設部
１８  コード
１９  支持部
２０  コード受容部
２１  挿入部
２２  抜け止め部
２３  取付位置
２４  プラグ本体寄りの位置
２５  プラグ本体から離れた位置
２６  接続部
２７  被接続部
２８  後端部
２９  支持部
４１  線状コンセント
４２  線状溝
４３  天面
４４  刃受部
４５  什器
４６  棚板
４７  側板
４８  棚下照明器具
４９  商品
【図１】
2014154251.tif 000003
【図２】
2014154251.tif 000004
【図３】
2014154251.tif 000005
【図４】
2014154251.tif 000006
【図５】
2014154251.tif 000007
【図６】
2014154251.tif 000008
【図７】
2014154251.tif 000009
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
互いに平行な複数の線状溝を有する表板の裏側に前記線状溝に沿ってそれぞれ配設された刃受部とを有する線状コンセントに対して用いられるプラグ・コードの固定構造において、
前記刃受部に受容される複数の栓刃を備えたプラグ本体と、前記プラグ本体から伸びるコードと、前記コードを支持する複数の支持部とを備え、
前記支持部は、前記コードを受容するコード受容部と、前記コード受容部の裏面側に伸ばされた挿入部とを備えたもので、前記プラグ本体と一体又は別体に構成されたものであり、
前記挿入部は、前記線状溝の表面側から裏面側に挿入されるものであり、
前記挿入部は、その先端側に、前記線状溝からの前記挿入部が抜けることを防ぐ抜け止め部を備え、
前記コード受容部にコードを所定の取付位置にて受容させると共に、前記挿入部を前記線状溝に挿入することによって、コードを固定するものであり、
複数の前記支持部は互いに接続分離可能であると共に、少なくとも１個の前記支持部は前記プラグ本体に対して一体化されているか若しくは接続分離可能であることを特徴とするプラグ・コードの固定構造。
【請求項２】
前記取付位置は、コードのプラグ本体寄りの位置と、プラグ本体から離れた位置との少なくとも２種類であり、
コードのプラグ本体寄りの位置に固定することでプラグの脱落を防止すると共に、プラグ本体から離れた位置に固定することで前記線状コンセントから前記コードが浮き上がることを防止したことを特徴とする請求項１記載のプラグ・コードの固定構造。
【請求項３】
互いに平行な複数の線状溝を有する表板の裏側に前記線状溝に沿ってそれぞれ配設された刃受部とを有する線状コンセントに対して用いられるプラグ・コードの固定構造において、
前記刃受部に受容される複数の栓刃を備えたプラグ本体と、前記プラグ本体から伸びるコードと、前記コードを支持する少なくとも１個の支持部とを備え、
前記少なくとも１個の支持部は、前記コードを受容するコード受容部と、前記コード受容部の裏面側に伸ばされた挿入部とを備えたもので、前記プラグ本体と別体に構成されたものであり、且つ、前記プラグ本体に対して接続分離可能であり、
前記挿入部は、前記線状溝の表面側から裏面側に挿入されるものであり、
前記挿入部は、その先端側に、前記線状溝からの前記挿入部が抜けることを防ぐ抜け止め部を備え、
前記コード受容部にコードを所定の取付位置にて受容させると共に、前記挿入部を前記線状溝に挿入することによって、コードを固定するものであり、
前記取付位置は、前記支持部が前記プラグ本体に対して接続した状態でのプラグ本体寄りの位置と、前記支持部が前記プラグ本体に対して分離した状態でのプラグ本体から離れた位置との少なくとも２種類を選択することができることを特徴とするプラグ・コードの固定構造。
【請求項４】
前記支持部に加えて、他の支持部を少なくとも１つ備え、前記支持部同士は互いに接続分離可能であることを特徴とする請求項３記載のプラグ・コードの固定構造。
【請求項５】
請求項１又は２に記載のプラグ・コードの固定構造に用いられる支持部であって、前記支持部は前記プラグ本体と別体に構成された支持体であり、前記支持体は、プラグ本体又は他の支持部に対して着脱可能に接続する接続部を備えると共に、前記接続部によって接続される被接続部を有することを特徴とする線状コンセント用支持体。
【請求項６】
請求項３又は４に記載のプラグ・コードの固定構造に用いられる支持部であって、前記支持部は前記プラグ本体と別体に構成された支持体であり、前記支持体は、プラグ本体に対して着脱可能に接続する接続部を備えることを特徴とする線状コンセント用支持体。